(57)【要約】【課題】泡質がクリーミィで弾力性を有し、皮膚刺激感が緩和で、且つ、低温における安定性に優れ、しっとりとした肌感触付与できるフォーマー容器入り液体洗浄剤組成物を提供することである。【解決手段】界面活性剤と多価アルコールとを含む液体洗浄剤組成物において、界面活性剤が（Ａ）Ｎ−アシルアミノ酸系アニオン性界面活性剤と、（Ｂ）両性界面活性剤及び／又は半極性界面活性剤とからなるものであって、各々の含有量が液体洗浄剤組成物に対して（Ａ）Ｎ−アシルアミノ酸系アニオン性界面活性剤  １〜５質量％（Ｂ）両性界面活性剤及び／又は半極性界面活性剤  １〜５質量％（Ｃ）多価アルコール  ３０〜５０質量％であり、（Ｂ）両性界面活性剤及び／又は半極性界面活性剤に対する（Ａ）Ｎ−アシルアミノ酸系アニオン性界面活性剤の質量比（（Ａ）／（Ｂ））が、１〜２．５であるフォーマー容器入り液体洗浄組成物。【選択図】なし【特許請求の範囲】
【請求項１】
界面活性剤と多価アルコールとを含む液体洗浄剤組成物において、界面活性剤が（Ａ）Ｎ−アシルアミノ酸系アニオン性界面活性剤と、（Ｂ）両性界面活性剤及び／又は半極性界面活性剤とからなるものであって、各々の含有量が液体洗浄剤組成物に対して
（Ａ）Ｎ−アシルアミノ酸系アニオン性界面活性剤  １〜５質量％
（Ｂ）両性界面活性剤及び／又は半極性界面活性剤  １〜５質量％
（Ｃ）多価アルコール  ３０〜５０質量％
であり、（Ｂ）両性界面活性剤及び／又は半極性界面活性剤に対する（Ａ）Ｎ−アシルアミノ酸系アニオン性界面活性剤の質量比（（Ａ）／（Ｂ））が、１〜２．５であるフォーマー容器入り液体洗浄組成物。
【発明の詳細な説明】
【技術分野】
【０００１】
本発明は、フォーマー容器入り液体洗浄剤組成物に関し、詳しくは、泡質がクリーミィで弾力性を有し、皮膚刺激感が緩和で、且つ、低温における安定性に優れ、しっとりとした肌感触を付与するフォーマー容器入り液体洗浄剤組成物に関する。
【背景技術】
【０００２】
洗浄剤は、固形状、液状、泡沫状等があるが、単にポンプやボトルを押すだけで簡便にクリーミィな泡が得られることなどから、泡沫状の洗浄剤が、手洗い用、洗顔用、洗髪用などの種々の用途に広く用いられている。
【０００３】
フォーマー容器にはスクイズフォーマーやポンプフォーマーなどのノンエアゾール型の吐出容器により形成され、フォーマー容器内部の多孔質膜を通過させることで組成物と空気とを混合して泡沫状にしている。
【０００４】
多孔質膜を通過させるため、組成物が低温環境下で析出やゲル化、固化すると目詰まりを引き起こし、使用できなくなるという問題がある。
【０００５】
そこで、上記の問題を改善するために、いくつかの洗浄剤組成物が提案されている。例えば、高級脂肪酸塩と特定の成分との組合せ（特許文献１，２参照）やＮ−アシルアミノ酸系アニオン性界面活性剤と特定の成分との組合せ（特許文献３〜５参照）などが開示されている。
【０００６】
これらの洗浄剤組成物は、泡質のクリーミィさや弾力性、皮膚刺激感が緩和で、且つ、低温における安定性、及び、しっとりとした肌感触などについて改善はされてはいるが、更に改善できる余地がある。
【特許文献１】特開２００６−３４２２９３号公報
【特許文献２】特開２００８−９４９０３号公報
【特許文献３】特開２００１−１４００００号公報
【特許文献４】特開２００６−１８３０３９号公報
【特許文献５】特開２００６−１９３５４９号公報
【発明の開示】
【発明が解決しようとする課題】
【０００７】
上記事情において、泡質のクリーミィさや弾力性、皮膚刺激感が緩和で、且つ、低温における安定性、及び、しっとりとした肌感触などについて十分なフォーマー容器入り液体洗浄剤組成物が求められている。
【課題を解決するための手段】
【０００８】
上記目的を達成するために鋭意検討を行った結果、フォーマー容器入り液体洗浄剤組成物中を以下の構成とすることにより、泡質がクリーミィで弾力性を有し、皮膚刺激感が緩和で、且つ、低温における安定性に優れ、しっとりとした肌感触付与できることを見出した。すなわち、界面活性剤と多価アルコールとを含む液体洗浄剤組成物において、界面活性剤が（Ａ）Ｎ−アシルアミノ酸系アニオン性界面活性剤と、（Ｂ）両性界面活性剤及び／又は半極性界面活性剤とからなるものであって、各々の含有量が液体洗浄剤組成物に対して
（Ａ）Ｎ−アシルアミノ酸系アニオン性界面活性剤  １〜５質量％
（Ｂ）両性界面活性剤及び／又は半極性界面活性剤  １〜５質量％
（Ｃ）多価アルコール  ３０〜５０質量％
であり、（Ｂ）両性界面活性剤及び／又は半極性界面活性剤に対する（Ａ）Ｎ−アシルアミノ酸系アニオン性界面活性剤の質量比（（Ａ）／（Ｂ））が、１〜２．５であるフォーマー容器入り液体洗浄組成物。
【発明の効果】
【０００９】
本発明のフォーマー容器入り液体洗浄剤組成物は、泡質がクリーミィで弾力性を有し、皮膚刺激感が緩和で、且つ、低温における安定性に優れ、しっとりとした肌感触付与できる。
【発明を実施するための最良の形態】
【００１０】
以下、本発明の構成について詳述する。
本発明に用いられる（Ａ）Ｎ−アシルアミノ酸系アニオン性界面活性剤は、例えば、Ｎ−ヤシ油脂肪酸アシル−Ｌ−グルタミン酸塩、Ｎ−ラウロイル−Ｌ−グルタミン酸塩、Ｎ−ミリストイルグルタミン酸塩、Ｎ−パーム油脂肪酸アシル−Ｌ−グルタミン酸塩、Ｎ−ステアロイル−Ｌ−グルタミン酸塩、Ｎ−ヤシ油脂肪酸アシル−ＤＬ−アラニン塩、Ｎ−ヤシ油脂肪酸アシル−Ｌ−アラニン塩、Ｎ−ヤシ油脂肪酸アシルグリシン塩、Ｎ−ラウロイル−β−アラニン塩、Ｎ−ミリスチル−β−アラニン塩、Ｎ−ヤシ油脂肪酸アシル−β−アラニン塩、Ｎ−ラウロイル−Ｎ−メチル−β−アラニン塩、Ｎ−ミリストイル−Ｎ−メチル−β−アラニン塩、Ｎ−ラウロイル−Ｎ−メチルグリシン塩、Ｎ−ラウロイルアスパラギン酸塩などが挙げられる。これらは、それぞれ単独で用いてもよく、２種以上を組み合わせて用いてもよい。塩としては、アルカリ金属塩、アルカノールアミン塩などが挙げられ、ナトリウム塩、カリウム塩、モノエタノールアミン塩、トリエタノールアミン塩などが挙げられる。Ｎ−アシルアミノ酸系アニオン性界面活性剤のより好ましい例としては、Ｎ−ヤシ油脂肪酸アシル−Ｌ−グルタミン酸、Ｎ−ラウロイル−Ｌ−グルタミン酸、Ｎ−ミリストイルグルタミン酸、Ｎ−パーム油脂肪酸アシル−Ｌ−グルタミン酸、Ｎ−ステアロイル−Ｌ−グルタミン酸のカリウム塩、トリエタノールアミン塩などが挙げられる。
【００１１】
上記Ｎ−アシルアミノ酸系アニオン界面活性剤の含有量は、泡質のクリーミィさや弾力性、低温における安定性やしっとりとした肌感触の面において、１〜５質量％である。
【００１２】
本発明に用いられる（Ｂ）両性界面活性剤及び半極性界面活性剤は、例えば、イミダゾリン型（アミドアミン型）、アミドアミノ酸塩、カルボベタイン型（アルキルベタイン、アルキルアミドベタイン）、スルホベタイン型（アルキルスルホベタイン、アルキルヒドロキシスルホベタイン）、ホスホベタイン型、アシル第３級アミンオキサイド、アシル第３級ホスホンオキシドなどが挙げられる。より好ましい例としては、カルボベタイン型、アシル第３級アミンオキサイドなどが挙げられる。これらは、それぞれ単独で用いてもよく、２種以上を組み合わせて用いてもよい。イミダゾリン型としては、例えば、ヤシ油アルキル−Ｎ−ヒドロキシエチルイミダゾリニウムベタインなどが挙げられる。カルボベタイン型としては、例えば、アルキルベタインとして、ラウリルジメチルアミノ酢酸ベタインなどが挙げられ、アルキルアミドベタインとして、ヤシ油脂肪酸アミドプロピルベタインなどが挙げられる。スルホベタイン型としては、例えば、アルキルスルホベタインとして、ヤシ油脂肪酸ジメチルアミノヒドロキシスルホベタインなどが挙げられる。ホスホベタイン型としては、例えば、ラウリルジメチルアミンオキサイドなどが挙げられる。アシル第３級アミンオキサイドとしては、例えば、ラウリルジメチルアミンオキサイドなどが挙げられる。アシル第３級ホスホンオキサイドとしては、例えば、ラウリルジメチルホスホンオキサイドなどが挙げられる。
【００１３】
上記両性界面活性剤及び半極性界面活性剤の含有量は、泡質のクリーミィさや弾力性、
低温における安定性の面において１〜５質量％であって、１．５〜４質量％がより好ましく、２〜３質量％であることが最も好ましい。
【００１４】
本発明に用いられる（Ｃ）多価アルコールは、例えば、エチレングリコール、ジエチレングリコール、ヘキシレングリコール、ポリエチレングリコール、プロピレングリコール、ジプロピレングリコール、ポリプロピレングリコール、イソプレングリコール、グリセリン、ジグリセリン、トリグリセリン、テトラグリセリン、ヘキサグリセリン、デカグリセリン、１，３−ブチレングリコール、トリメチルプロパノール、エリスリトール、ペンタエリスリトール、ジペンタエリスリトール、グルコース、マンノース、ガラクトース、ショ糖、フルクトース、マルトース、マルチトール、キシリトール、イノシトール、ソルビタン、ソルビトールなどが挙げられる。より好ましい例としては、プロピレングリコール、ジプロピレングリコール、グリセリン、１，３−ブチレングリコール、ソルビトールなどが挙げられる。これらは、それぞれ単独で用いてもよく、２種以上を組み合わせて用いてもよい。
【００１５】
上記多価アルコールの含有量は、低温における安定性、しっとりとした肌感触などの面において、３０〜５０質量％である。
【００１６】
（Ｄ）（Ａ）成分／（Ｂ）成分の比は、低温における安定性、しっとりとした肌感触などの面において、１．０〜２．５が好ましく、更に好ましくは１．５〜２．０である。
【００１７】
本発明の洗浄剤組成物中には、皮膚刺激性や低温における安定性、しっとりとした肌感触などの面において、（Ａ）成分以外のアニオン性界面活性剤及び／又は非イオン性界面活性剤を配合しないことが好ましい。
【００１８】
本発明のフォーマー容器入り液体洗浄剤組成物には、前記の必須成分に加えて必要に応じて本発明の効果を損なわない範囲で通常使用されている任意の成分を使用することができる。これらの成分としては、例えば、エタノール、イソプロピルアルコール等の低級アルコール類、ベンジルアルコール、ベンジルオキシエタノール等の芳香族アルコール類、エチルセロソルブ、ブチルセロソルブ等のセロソルブ類、エチルカルビトール、ブチルカルビトール等のカルビトール類、糖（誘導体）やアミノ酸（誘導体）、動植物（タンパク質）誘導体、動植物抽出物等の保湿成分、ポリオキシアルキレン変性シリコーン等のシリコーン誘導体、硫酸ナトリウム、炭酸ナトリウム、炭酸水素ナトリウム、塩化カリウム、塩化ナトリウム、クエン酸ナトリウム等の無機又は有機塩類、酸やアルカリ等のｐＨ調整剤、グリチルレチン酸、グリチルリチン酸及びこれらの誘導体などの抗炎症剤、イソプロピルメチルフェノール等の殺菌剤、防腐剤、金属イオン封鎖剤、酸化防止剤、紫外線吸収剤、アニオン性高分子、カチオン性高分子、非イオン性高分子、両性高分子、香料、増粘剤、ビタミン類、クロロフィル、β−カロチン等の天然色素、タール色素等の着色剤などが挙げられる。
【実施例】
【００１９】
次に本発明を実施例に基づいて詳細に説明するが、これに限定されるものではない。配合量は特に断りがない限り質量百分率（％）である。
【００２０】
「表１」に示すフォーマー容器入り液体洗浄剤組成物を常法により調整し、以下の（１）〜（４）の評価を行った。
【００２１】
（１）泡の弾力性の評価
１０名を被験者とし、各フォーマー容器入り液体洗浄剤組成物を使用後、以下の基準で泡の弾力性を評価し、採点する。
５点：非常によい
４点：かなりよい
３点：ややよい
２点：悪い
１点：非常に悪い
得られた点数の合計が４０点以上であれば（○）、３０点以上４０点未満であれば（△）、３０点未満であれば（×）として評価する。
【００２２】
（２）皮膚の刺激感の評価
１０名を被験者とし、各フォーマー容器入り液体洗浄剤組成物を使用後、以下の基準で皮膚の刺激感を評価し、採点する。
２点：気にならない
１点：ピリピリする気がする
０点：ピリピリする
得られた点数の合計が１５点以上であれば（○）、５点以上１５点未満であれば（△）、５点未満であれば（×）として評価する。
【００２３】
（３）低温での安定性の評価
各フォーマー容器入り液体洗浄剤組成物をフォーマー容器のまま、−５℃で２週間保存し、２０回連続して吐出し、以下の基準で評価する。
○：目詰まりが起こらない
×：目詰まりが生じる
【００２４】
（４）官能試験（洗浄後のしっとり感）
１０名を被験者とし、各フォーマー容器入り液体洗浄剤組成物を使用後、以下の基準で泡の弾力性を評価し、採点する。
５点：しっとり感がある
４点：ややしっとり感がある
３点：どちらともいえない
２点：ややしっとり感にかける
１点：しっとり感にかける
得られた点数の合計が４０点以上であれば（○）、３０点以上４０点未満であれば（△）、３０点未満であれば（×）として評価する。
【００２５】
【表１】
2010059247.tif 000002
【００２６】
以上の結果より、本発明のフォーマー容器入り液体洗浄剤組成物は、泡質がクリーミィで弾力性を有し、皮膚刺激感が緩和で、且つ、低温における安定性に優れ、しっとりとした肌感触付与できることがわかる。
【００２７】
以下、本発明のフォーマー容器入り液体洗浄剤組成物のその他の処方例を実施例として挙げる。尚、これらの実施例の洗浄剤組成物についても、泡質がクリーミィで弾力性を有し、皮膚刺激感が緩和で、且つ、低温における安定性に優れ、しっとりとした肌感触付与でき、良好であった。
【００２８】
実施例４
質量％
Ｎ−ラウロイル−β−アラニンカリウム    （Ａ）                    ４．０
ラウリン酸アミドプロピルベタイン        （Ｂ）                    ２．３
プロピレングリコール                    （Ｃ）                  １０．０
ジグリセリン                            （Ｃ）                  １０．０
１，３−ブチレングリコール              （Ｃ）                  ２０．０
グリチルリチン酸ジカリウム                                        ０．１
Ｌ−アスコルビン酸硫酸エステル二ナトリウム                        ０．００１
Ｌ−アルギニン                                                    ０．０１
グリシン                                                          ０．０１
Ｌ−アラニン                                                      ０．０１
Ｌ−プロリン                                                      ０．０１
小麦加水分解物
（商品名：ＧＬＵＡＤＩＮ  Ｗ２０［コグニス社製］）                ０．１
ウイキョウ抽出物（商品名：ＮＡＢ  Ｆｅｎｎｅｌ
Ｓｅｅｄ  Ｅｘｔｒａｃｔ［ＡＲＣＨ社製］）                        ０．１
ガリカバラ抽出物（商品名：Ｐｈｙｔｏｆｌｅｕｒ
Ｆｒｅｎｃｈ  Ｒｏｓｅ［ＣＲＯＤＡＲＯＭ社製］）                  ０．１
トウキンセンカ抽出物（商品名：オーガニック
トウキンセンカ抽出液ＢＧ−５０［香栄興業社製］）                  ０．１
ホホバ抽出物（商品名：ホホバリーフエキス［香栄興業社製］）        ０．１
カギイバラノリ抽出物
（商品名：ＢＩＯＳＴＲＵＣＴＵＲＥＲ［ＳＥＣＭＡ社製］）          ０．１
ブクリョウエキス
（商品名：ファルコレックス  ブクリョウＥ［一丸ファルコス社製］）  ０．１
フェノキシエタノール                                              ０．２
エデト酸二ナトリウム                                              ０．０１
黄色５号                                                          ０．０００１
香料                                                              ０．０５
精製水                                                            残  余
【００２９】
実施例５
質量％
Ｎ−ラウロイル−Ｌ−グルタミン酸カリウム  （Ａ）                  １．０
Ｎ−ヤシ油脂肪酸アシル−Ｌ−グルタミン酸トリエタノールアミン（Ｂ）３．０
ラウリルジメチルアミノ酢酸ベタイン        （Ｂ）                  ２．３
ジプロピレングリコール                    （Ｃ）                ３０．０
グリセリン                                （Ｃ）                １０．０
クエン酸                                                          ０．０５
クエン酸ナトリウム                                                ０．０５
大豆蛋白加水分解物
（商品名：プロモイスＷＳ［成和化成社製］）                        ０．１
加水分解シルク液
（商品名：プロモイスシルク−１０００［成和化成社製］）            ０．１
水溶性コラーゲン液（３）
（商品名：ネプチゲンＮ［一丸ファルコス社製］）                    ０．１
スギナエキス（商品名：スギナ抽出液ＢＧ［丸善製薬社製］）          ０．１
ウスベニアオイエキス
（商品名：ウスベニアオイ抽出液ＢＧ［丸善製薬社製］）              ０．１
カワラヨモギエキス
（商品名：インチンコウ抽出液ＢＧ［丸善製薬社製］）                ０．１
ショウブ根エキス（商品名：ショウブ抽出液［丸善製薬社製］）        ０．１
ユキノシタエキス
（商品名：ユキノシタ抽出液ＢＧ［丸善製薬社製］）                  ０．１
サボンソウエキス
（商品名：サボンソウ抽出液ＢＧ［丸善製薬社製］）                  ０．１
ニンジンエキス（商品名：ニンジンエキスＢＧ［丸善製薬社製］）      ０．１
ムラサキセンブリエキス
（商品名：ムラサキセンブリ抽出液［丸善製薬社製］）                ０．１
トウキエキス
（商品名：ファルコレックス  トウキＢ［一丸ファルコス社製］）      ０．１
ラン抽出液
（商品名：ファルコレックス  ラン［一丸ファルコス社製］）          ０．１
オトギリソウエキス（商品名：ファルコレックス  オトギリソウ
［一丸ファルコス社製］）                                          ０．１
アルテアエキス（商品名：アルテア抽出液［香栄興業社製］）          ０．１
ノウゼンハレン花エキス
（商品名：キンレンカ抽出液［丸善製薬社製］）                      ０．１
香料                                                              ０．１
精製水                                                            残  余
【００３０】
実施例６
質量％
Ｎ−ミリストイルグルタミン酸カリウム      （Ａ）                  １．０
Ｎ−パーム油脂肪酸アシル
−Ｌ−グルタミン酸トリエタノールアミン  （Ａ）              ３．０
ラウリルジメチルアミンオキシド            （Ｂ）                  ２．３
ソルビトール                              （Ｃ）                ２０．０
１，３−ブチレングリコール                （Ｃ）                １０．０
グリセリン                                （Ｃ）                １０．０
グリチルリチン酸ジカリウム                                        ０．１
ハチミツ                                                          ０．１
トリメチルグリシン                                                ０．０１
セリシン                                                          ０．０１
加水分解コラーゲン液
（商品名：プロモイスＷ−３２ＭＲ［成和化成社製］）                ０．１
ローヤルゼリーエキス
（商品名：ローヤルゼリー抽出液ＢＧ［丸善製薬社製］）              ０．１
加水分解コンキオリン液
（商品名：真珠たん白抽出液［丸善製薬社製］）                      ０．１
シナノキ抽出物（商品名：シナノキ抽出液ＢＧ［丸善製薬社製］）      ０．１
ゴボウ抽出物（商品名：ゴボウ抽出液ＢＧ［丸善製薬社製］）          ０．１
加水分解コムギ液（商品名：プロモイスＷＧ［成和化成社製］）        ０．１
チャノキ抽出物
（商品名：ウーロン茶抽出液ＢＧ［丸善製薬社製］）                  ０．１
スギナ抽出物（商品名：スギナ抽出液［丸善製薬社製］）              ０．１
オリーブ葉エキス（商品名：オリーブ葉抽出液［丸善製薬社製］）      ０．１
チョウジエキス
（商品名：ファルコレックス  チョウジ［一丸ファルコス社製］）      ０．１
サンザシエキス（商品名：ファルコレックス  サンザシＢ
［一丸ファルコス社製］）                                          ０．１
オクラエキス
（商品名：フィトヒアロンＢ［一丸ファルコス社製］）                ０．０１
フサフジウツギエキス
（商品名：ＢＵＤＤＬＥＪＡ−ＡＯ［ペンタファーム社製］）          ０．１
香料                                                              ０．０１
精製水                                                            残  余
【００３１】
尚、上記実施例４〜６において使用した香料の組成を「表２」に示す。
【００３２】
【表２】
2010059247.tif 000003
【産業上の利用可能性】
【００３３】
本発明のフォーマー容器入り液体洗浄剤組成物は、泡質がクリーミィで弾力性を有し、皮膚刺激感が緩和で、且つ、低温における安定性に優れ、しっとりとした肌感触付与できる洗浄剤組成物の供給が可能である。